(57)【要約】【課題】折り畳み易く、かつ、コンパクトに折り畳むことができる敷き布団、及び布団パッケージを提供する。【解決手段】敷き布団２は、第１縫合線２１と、第２縫合線２２と、を備えている。第１縫合線は、敷き布団の横方向に沿って表生地１６及び裏生地１７を縫い合わせ、縦方向に間隔をおいて形成されている。第２縫合線は、敷き布団の縦方向に沿って表生地及び裏生地を縫い合わせ、横方向に間隔をおいて形成されている。第２縫合線は、表生地及び裏生地が非縫合となるように不連続に縫い合わされている。【選択図】図３
0003226492.tif 000002
【実用新案登録請求の範囲】
【請求項１】
敷き布団の横方向に沿って表生地及び裏生地を縫い合わせ、縦方向に間隔をおいて形成された第１縫合線と、
前記敷き布団の縦方向に沿って前記表生地及び前記裏生地を縫い合わせ、横方向に間隔をおいて形成された第２縫合線と、を備え、
前記第１縫合線及び前記第２縫合線のいずれか一方は、前記表生地及び前記裏生地が非縫合となるように不連続に縫い合わされている
ことを特徴とする敷き布団。
【請求項２】
前記第２縫合線は、
前記第１縫合線との交差部において、前記表生地及び前記裏生地が非縫合となるように不連続に縫い合わされている
ことを特徴とする請求項１に記載の敷き布団。
【請求項３】
第２縫合線のうち、不連続に縫い合わされ、かつ前記第１縫合線に対向する端部から前記第１縫合線に沿って延びる第３縫合線を有する
ことを特徴とする請求項２に記載の敷き布団。
【請求項４】
請求項１から請求項３のいずれか１項に記載の敷き布団であって、前記第１縫合線を横方向に沿って３本、前記第２縫合線を縦方向に沿って２本有し、前記第２縫合線で横方向へＺ状に折り畳まれ、かつ、前記第１縫合線で縦方向へＷ状に折り畳まれた敷き布団と、
前記折り畳まれた敷き布団を収納する収納部と、
を備えることを特徴とする布団パッケージ。
【考案の詳細な説明】
【技術分野】
【０００１】
本発明は、敷き布団、及び布団パッケージに関する。
【背景技術】
【０００２】
敷き布団のなかには、押し入れの収納スペースに複数枚の敷き布団を収納するように折り畳むものが提案されている。この敷き布団は、例えば第１縫合線に直交させて第２縫合線が形成され、第２縫合線の延長線を挟む２本の第３縫合線が形成されている。敷き布団に各縫合線を形成することにより、敷き布団の内部の綿が移動することを抑えることができる。
【０００３】
この敷き布団によれば、折り畳まれた状態において、内側に折り込まれた第２縫合線が、外側に位置する第３縫合線の中間に挟まれ、第３縫合線の間の円弧長が、第２縫合線を中心とする円弧長よりも長くなる。このため、折り畳まれた敷き布団の角部を大きく膨らませないように折り畳むことができる（例えば、特許文献１参照）。
【先行技術文献】
【特許文献】
【０００４】
【特許文献１】特許第２６４２８８６号公報
【考案の概要】
【考案が解決しようとする課題】
【０００５】
しかし、特許文献１の敷き布団は、２本の第３縫合線等で囲まれた内部領域の空気が内部領域に残ってしまい、敷き布団をよりコンパクトに折り畳む妨げになっていた。また、２本の第３縫合線等で囲まれた内部領域に空気が残っているために、敷き布団を折り畳み難かった。
【０００６】
本考案は、折り畳み易く、かつ、コンパクトに折り畳むことができる敷き布団、及び布団パッケージを提供することを目的とする。
【課題を解決するための手段】
【０００７】
前記課題を解決するために、本考案は以下の手段を提案している。
（１）本考案に係る敷き布団は、敷き布団の横方向に沿って表生地及び裏生地を縫い合わせ、縦方向に間隔をおいて形成された第１縫合線と、前記敷き布団の縦方向に沿って前記表生地及び前記裏生地を縫い合わせ、横方向に間隔をおいて形成された第２縫合線と、を備え、前記第１縫合線及び前記第２縫合線のいずれか一方は、前記表生地及び前記裏生地が非縫合となるように不連続に縫い合わされている。
【０００８】
この構成によれば、敷き布団の横方向に沿って第１縫合線を備え、敷き布団の縦方向に沿って第２縫合線を備えた。よって、例えば、第２縫合線で横方向に折り畳み、つぎに第１縫合線で縦方向に折り畳んで、例えば敷き布団を矩形体に畳むことができる。
ここで、第１縫合線及び第２縫合線のいずれか一方を、非縫合となるように不連続に縫い合わせることにより非縫合部（すなわち、空気抜け領域）を形成できる。
非縫合部は、敷き布団の内部の綿を移動させることなく、敷き布団の内部の空気を移動可能な大きさに形成されている。よって、例えば敷き布団を矩形体に畳むときに、敷き布団の内部の綿を移動させることなく、例えば非縫合部の空気を、非縫合部から布団の内部に均等にならすことができる。これにより、敷き布団を折り畳み易くでき、かつ、敷き布団をコンパクトに折り畳むことができる。
【０００９】
（２）前記第２縫合線は、前記第１縫合線との交差部において、前記表生地及び前記裏生地が非縫合となるように不連続に縫い合わされていてもよい。
【００１０】
この構成によれば、第２縫合線を第１縫合線との交差部で不連続とすることにより、交差部に表生地及び裏生地を非縫合とする非縫合部（空気抜け領域）を確保できる。よって、敷き布団を第２縫合線で横方向に折り畳み、第１縫合線で縦方向に折り畳むことにより、折り畳まれた角部に非縫合部を位置させることができる。このため、敷き布団の角部の空気を、非縫合部を通して角部以外に逃がして、角部の空気を敷き布団の内部に均等にならすことができる。これにより、敷き布団を折り畳み易くでき、かつ、敷き布団をコンパクトに折り畳むことができる。
【００１１】
（３）第２縫合線のうち、不連続に縫い合わされ、かつ前記第１縫合線に対向する端部から前記第１縫合線に沿って延びる第３縫合線を有していてもよい。
【００１２】
この構成によれば、第２縫合線のうち不連続に縫い合わされた端部から第３縫合線を第１縫合線に沿って延ばした。よって、第３縫合線を非縫合部（空気抜け領域）に沿って延ばすことができ、第３縫合線の空気を逃がすときのガイドとすることができる。
ここで、非縫合部は、敷き布団をコンパクトに折り畳むときに角部に配置される。これにより、角部の空気を、非縫合部から第３縫合線に沿って角部以外に良好に逃がして、敷き布団の内部にならすことができる。これにより、敷き布団を折り畳み易くでき、かつ、敷き布団をコンパクトに折り畳むことができる。
【００１３】
（４）本考案に係る布団パッケージは、（１）から（２）の敷き布団であって、前記第１縫合線を横方向に沿って３本、前記第２縫合線を縦方向に沿って２本有し、前記第２縫合線で横方向へＺ状に折り畳まれ、前記第１縫合線で縦方向へＷ状に折り畳まれた敷き布団と、前記折り畳まれた敷き布団を収納する収納部と、
を備えている。
【００１４】
この構成によれば、敷き布団の横方向に沿って第１縫合線を備え、敷き布団の縦方向に沿って第２縫合線を備えた。よって、例えば、第２縫合線で横方向に折り畳み、つぎに第１縫合線で縦方向に折り畳んで、例えば敷き布団を矩形体に畳むことができる。
ここで、第１縫合線及び第２縫合線のいずれか一方を、非縫合となるように不連続に縫い合わせることにより非縫合部（すなわち、空気抜け領域）を形成できる。
非縫合部は、敷き布団の内部の綿を移動させることなく、敷き布団の内部の空気を移動可能な大きさに形成されている。よって、例えば敷き布団を矩形体に畳むときに、敷き布団の内部の綿を移動させることなく、例えば非縫合部の空気を、非縫合部から布団の内部に均等にならすことができる。これにより、敷き布団を折り畳み易くでき、かつ、敷き布団をコンパクトに折り畳むことができる。
敷き布団をコンパクトに折り畳むことにより、折り畳まれた敷き布団を収納部に収納できる。
【考案の効果】
【００１５】
本考案によれば、折り畳み易く、かつ、コンパクトに折り畳むことができる敷き布団、及び布団パッケージを提供できる。
【図面の簡単な説明】
【００１６】
【図１】本考案の第１実施形態に係る布団パッケージにおいて収納ケースを開いた状態を示す斜視図である。
【図２】図１に示す敷き布団を広げた状態を示す斜視図である。
【図３】図２に示す敷き布団の要部を拡大した平面図である。
【図４】図２に示す敷き布団を第２縫合線でＺ状に折り畳んだ状態を示す斜視図である。
【図５】図４に示す敷き布団を重ね合わせ布団に折り畳んだ状態を示す斜視図である。
【図６】図５に示す重ね合わせ布団を第１縫合線でＷ状に折り畳む状態を示す斜視図である。
【図７】本考案の第１実施形態に係る、折り畳まれた敷き布団を折畳みバンドユニットで保持した状態を側方からみた斜視図である。
【図８】図７の折畳みバンドユニットで折り畳まれた状態に保持された敷き布団を正面側からみた斜視図である。
【図９】図７の折り畳まれた敷き布団を収納ケースの引出しに入れた状態を示す斜視図である。
【図１０】図９の引出しを閉めた状態を示す斜視図である。
【図１１】本考案の第２実施形態に係る敷き布団を広げた状態を示す斜視図である。
【図１２】図１１に示す敷き布団の要部を拡大した平面図である。
【考案を実施するための形態】
【００１７】
以下、図面を参照し、本考案の一実施形態に係る敷き布団、及び布団パッケージを説明する。
（第１実施形態）
図１に示すように、布団パッケージ１は、敷き布団２と、折畳みバンドユニット４と、収納ケース（収納部）６と、を備えている。敷き布団２は、例えば、使用時の広げられた状態から矩形体となるように折り畳まれる。折り畳まれた敷き布団２は、折畳みバンドユニット４で折り畳んだ状態に保持される。折畳みバンドユニット４で保持された敷き布団２は、折畳みバンドユニット４とともに収納ケース６に収納される。
以下、折り畳まれた敷き布団２を「折り畳まれた敷き布団３０」として説明する。
【００１８】
図２、図３に示すように、敷き布団２は、使用時の広げられた状態において、第１縦辺１１と、第２縦辺１２と、第１横辺１３と、第２横辺１４と、で平面視矩形状に形成されている。敷き布団２は、表生地１６と裏生地１７との間に綿（図示せず）が介在され、第１縦辺１１、第２縦辺１２、第１横辺１３、及び第２横辺１４において表生地１６と裏生地１７とが縫合されている。
なお、図中において、第１縦辺１１及び第２縦辺１２に沿う縦方向（すなわち、長手方向）を矢印Ａ、第１横辺１３及び第２横辺１４に沿う横方向（すなわち、幅方向）を矢印Ｂで示す。
【００１９】
敷き布団２は、複数の第１縫合線（第１キルト）２１と、複数の第２縫合線（第２キルト）２２と、複数の非縫合部２３と、を備えている。
第１縫合線２１は、第１縦辺１１及び第２縦辺１２間において、第１縦辺１１と第２縦辺１２とを連結するように形成されている。第１縫合線２１は、敷き布団２の横方向に沿って表生地１６及び裏生地１７を連続させて縫い合わせた部位である。第１縫合線２１は、縦方向に間隔をおいて複数本（第１実施形態では３本）形成されている。
【００２０】
第２縫合線２２は、第１横辺１３及び第２横辺１４間において、敷き布団２の縦方向に沿って表生地１６及び裏生地１７を縫い合わせ、第１縫合線２１と交差する部（すなわち、交差部）において縫い合わせを不連続とする部位である。第２縫合線２２は、横方向に間隔をおいて複数本（第１実施形態では２本）形成されている。
敷き布団２に複数の第１縫合線２１と、複数の第２縫合線２２とを形成することにより、敷き布団２の内部において綿の移動が防止されている。また、敷き布団２は、複数本の第１縫合線２１と複数本の第２縫合線２２とにより、複数（第１実施形態では１２個）の仕切り部２５ａ〜２５ｌに仕切られている。
【００２１】
第２縫合線２２は、第１縫合線２１と交差する部位において、表生地１６及び裏生地１７が非縫合となるように不連続に縫い合わされている。よって、第２縫合線２２は、第１縫合線２１に対向する端部２２ａが第１縫合線２１に対して間隔Ｌ１をおいて配置されている。これにより、第１縫合線２１と第２縫合線２２の端部２２ａとの間の間隔Ｌ１に、表生地１６と裏生地１７とが縫い合わされていない非縫合部２３が形成されている。
非縫合部２３は、敷き布団２の内部の綿を移動させることなく、かつ、敷き布団２の内部の空気を矢印Ｃ方向に移動可能な大きさに形成されている。すなわち、非縫合部２３によって空気抜け領域が形成されている。
【００２２】
具体的には、非縫合部２３は、横方向に隣接する仕切り部２５ａと仕切り部２５ｂとに矢印Ｃの如く空気が移動可能に形成されている。また、非縫合部２３は、横方向に隣接する仕切り部２５ｂと仕切り部２５ｃとに矢印Ｃの如く空気が移動可能に形成されている。さらに、非縫合部２３は、横方向に隣接する仕切り部２５ｄと仕切り部２５ｅとに矢印Ｃの如く空気が移動可能に形成されている。加えて、非縫合部２３は、横方向に隣接する仕切り部２５ｅと仕切り部２５ｆとに矢印Ｃの如く空気が移動可能に形成されている。
また、その他の非縫合部２３も同様に、横方向に隣接する仕切り部と仕切り部とに空気が移動可能に形成されている。
第１実施形態においては、複数本の第１縫合線２１として３本、複数本の第２縫合線２２として２本を例示するが、これに限定しない。
【００２３】
つぎに、敷き布団２を折り畳む例を図４から図６に基づいて説明する。
図４に示すように、敷き布団２が複数本の第２縫合線２２で横方向にＺ状に折り畳まれる。
ここで、縦方向に隣接する仕切り部２５ａ、仕切り部２５ｄ、仕切り部２５ｇ、及び仕切り部２５ｊを第１仕切り部２６ａということがある。また、縦方向に隣接する仕切り部２５ｂ、仕切り部２５ｅ、仕切り部２５ｈ、及び仕切り部２５ｋを第２仕切り部２６ｂということがある。さらに、縦方向に隣接する仕切り部２５ｃ、仕切り部２５ｆ、仕切り部２５ｉ（図２参照）、及び仕切り部２５ｌを第３仕切り部２６ｃということがある。
敷き布団２がＺ状に折り畳まれることにより、第１仕切り部２６ａの裏生地１７と、第２仕切り部２６ｂの裏生地１７とが接触するように折り畳まれ。また、第２仕切り部２６ｂの表生地１６と、第３仕切り部２６ｃの表生地１６とが接触するように折り畳まれる。
【００２４】
図２、図５に示すように、敷き布団２は、第１仕切り部２６ａ、第２仕切り部２６ｂ、及び第３仕切り部２６ｃが重ね合わされた状態に平坦に折り畳まれ、重ね合わせ布団２８となる。
このように、敷き布団２が重ね合わせ布団２８に折り畳まれるとき、横方向に隣接する仕切り部２５ａと仕切り部２５ｂとに非縫合部２３から矢印Ｄの如く空気を移動させる。また、横方向に隣接する仕切り部２５ｂと仕切り部２５ｃとに非縫合部２３から矢印Ｄの如く空気を移動させる。さらに、横方向に隣接する仕切り部２５ｄと仕切り部２５ｅとに非縫合部２３から矢印Ｄの如く空気を移動させる。加えて、横方向に隣接する仕切り部２５ｅと仕切り部２５ｆとに非縫合部２３から矢印Ｄの如く空気を移動させる。
また、その他の非縫合部２３も同様に、横方向に隣接する仕切り部と仕切り部とに空気を移動させる。よって、非縫合部２３の空気を、横方向に隣接する仕切り部と仕切り部とに均等に逃がすことができる。
【００２５】
以下、重ね合わせ布団２８を、便宜上、縦方向に沿って、第１重ね部２８ａ、第２重ね部２８ｂ、第３重ね部２８ｃ、及び第４重ね部２８ｄで構成したものとして説明する。
重ね合わせ布団２８は、第１重ね部２８ａと第２重ね部２８ｂとの各表生地１６が矢印Ｅの如く重ね合わされ、第３重ね部２８ｃと第４重ね部２８ｄとの各表生地１６が矢印Ｅの如く重ね合わされるように、複数本の第１縫合線２１で縦方向に折り畳まれる。
【００２６】
図５、図６に示すように、重ね合わせ布団２８が、複数本の第１縫合線２１で縦方向にＷ状（蛇腹状）に折り畳まれる。この状態において、第１縫合線２１に対して交差する部位に形成された非縫合部２３が、Ｗ状（蛇腹状）に折り畳まれた角部２９に位置する。よって、角部２９の空気を、非縫合部２３を通して角部２９以外の各仕切り部２５ａ〜２５ｌに逃がして、敷き布団２の内部にならすことができる。これにより、図１に示すように、例えば、敷き布団２を矩形体に折り畳み易くでき、かつ、敷き布団２をコンパクトな矩形体の「折り畳まれた敷き布団３０」に折り畳むことができる。
【００２７】
つぎに、折り畳まれた敷き布団３０を収納ケース６に収納する例を図７から図１０に基づいて説明する。
図７、図８に示すように、コンパクトな矩形体に折り畳まれた敷き布団３０が折畳みバンドユニット４で折り畳んだ状態に保持される。折畳みバンドユニット４は、縦バンド３２と、横バンド３３と、を備えている。縦バンド３２は、コンパクトに折り畳まれた敷き布団３０を縦方向において折り畳んだ状態に保持する。横バンド３３は、コンパクトに折り畳まれた敷き布団３０を横方向において折り畳んだ状態に保持する。これにより、コンパクトに折り畳まれた敷き布団３０が折畳みバンドユニット４で折り畳んだ状態に簡単に保持される。
【００２８】
図９、図１０に示すように、収納ケース６のケース本体３５の内部から引出し３６を引き出す。引き出した引出し３６のなかに、コンパクトに折り畳まれた敷き布団３０を入れる。折り畳まれた敷き布団３０を引出し３６のなかに入れた後、引出し３６をケース本体３５の内部に押し込んで閉める。これにより、例えば、コンパクトな矩形体に折り畳まれた敷き布団３０が、収納ケース６に収納される。
【００２９】
なお、第１実施形態では、収納部として収納ケース６を例示したが、これに限らない。その他の例として、例えば、収納部として収納袋を使用して、コンパクトな矩形体に折り畳まれた敷き布団３０を収納袋（図示せず）に収納させてもよい。
【００３０】
また、第１実施形態では、折畳みバンドユニット４として縦バンド３２と横バンド３３との２本のバンドを例に説明したが、これに限らない。その他の例として、例えば、折畳みバンドユニットとして１本のバンドを使用して、第１実施形態の縦バンド３２及び横バンド３３と同様に、折り畳まれた敷き布団３０を保持してもよい。さらに、折畳みバンドユニットとして２本以上のバンドを使用してもよい。
【００３１】
（第２実施形態）
次に、本考案に係る第２実施形態の敷き布団５０を、図１１、図１２を参照して説明する。
なお、この第２実施形態においては、第１実施形態における構成要素と同一の部分については同一の符号を付し、その説明を省略し、異なる点についてのみ説明する。
敷き布団５０は、第２縫合線２２が第１縫合線２１と交差する部位において、表生地１６及び裏生地１７が非縫合となるように不連続に縫い合わされている。よって、第２縫合線２２は、第１縫合線２１に対向する端部２２ａが第１縫合線２１に対して間隔Ｌ１をおいて配置されている。
【００３２】
敷き布団５０は、端部２２ａから延びる第３縫合線５２を有する。第３縫合線５２は、端部２２ａから第１縫合線２１に沿って敷き布団５０の外側に向けて延びている。よって、第３縫合線５２を非縫合部２３（すなわち、空気抜け領域）に沿って延ばすことができる。これにより、第３縫合線５２を、第３縫合線５２から空気を逃がすときのガイドとすることができる。
ここで、非縫合部２３は、敷き布団５０をコンパクトに折り畳むときに角部に配置される。これにより、角部の空気を、非縫合部２３から第３縫合線５２に沿って角部以外に良好に逃がして、敷き布団２の内部にならすことができる。これにより、例えば、敷き布団５０を折り畳み易くでき、かつ、敷き布団５０をコンパクトに折り畳むことができる。
【００３３】
第２実施形態では、第３縫合線５２を端部２２ａから第１縫合線２１に沿って敷き布団５０の外側に向けて延ばした例について説明したが、これに限らない。その他の例として、第３縫合線を端部２２ａから第１縫合線２１に沿って敷き布団５０の内側に向けて延ばしてもよい。また、第３縫合線を端部２２ａから第１縫合線２１に沿って敷き布団５０の外側と内側の両側に向けて延ばしてもよい。
【００３４】
なお、本考案の技術的範囲は前記実施形態に限定されるものではなく、本考案の趣旨を逸脱しない範囲において種々の変更を加えることが可能である。
例えば、前記実施形態では、第１縫合線２１と交差する部位において第２縫合線２２を不連続に縫い合わせて、第２縫合線２２に非縫合部２３を形成した例について説明したが、これに限らない。その他の例として、第１縫合線２１と交差する部位以外の箇所において第２縫合線２２を不連続に縫い合わせて非縫合部２３を形成してもよい。
【００３５】
また、前記実施形態では、第１縫合線２１及び第２縫合線２２のいずれか一方として、第２縫合線２２を不連続に縫い合わせた例について説明したが、これに限らない。その他の例として、例えば、第１縫合線２１を不連続に縫い合わせて、第１縫合線２１に非縫合部２３を形成してもよい。
【００３６】
その他、本考案の趣旨に逸脱しない範囲で、前記実施形態における構成要素を周知の構成要素に置き換えることは適宜可能であり、また、前記した変形例を適宜組み合わせてもよい。
【符号の説明】
【００３７】
１  布団パッケージ
２，５０  敷き布団
６  収納ケース（収納部）
１６  表生地
１７  裏生地
２１  第１縫合線
２２  第２縫合線
２３  非縫合部
３０  折り畳まれた敷き布団
５２  第３縫合線
【図１】
0003226492.tif 000003
【図２】
0003226492.tif 000004
【図３】
0003226492.tif 000005
【図４】
0003226492.tif 000006
【図５】
0003226492.tif 000007
【図６】
0003226492.tif 000008
【図７】
0003226492.tif 000009
【図８】
0003226492.tif 000010
【図９】
0003226492.tif 000011
【図１０】
0003226492.tif 000012
【図１１】
0003226492.tif 000013
【図１２】
0003226492.tif 000014